(57)【特許請求の範囲】
【請求項１】
ヘッド本体のソール面にその少なくとも一部分が外側に膨らむ凸状部が形成されているゴルフクラブパターであって、
ヘッドを底面視した場合に、前記凸状部の頂上部分がフェース側に設けられ、この凸状部の頂上部とシャフト先端位置とヘッドの重心とが一直線上に並べられ、この一直線が長手方向のフェース面と平行にされ、さらに前記頂上部の投影域にヘッドの重心が位置されていることを特徴とするゴルフクラブパター。
【請求項２】
前記頂上部をヘッド幅の中央からフェース面寄り前方で、しかもヘッド長さ方向の中央部分に形成したことを特徴とする請求項１に記載のゴルフクラブパター。
【発明の詳細な説明】
【０００１】
【発明の属する技術分野】
この発明は、ゴルフクラブパターに関し、特にフェース面からバックサイドまでのヘッド幅が２６ｍｍ以上あるパターに関する。
【０００２】
【従来の技術】
近年、パターのソール幅従ってヘッド幅が、一般に増大されており、またこのようなパターのソール面は、微妙な起伏を持つグリーン上やグリーン周囲のカラー上及びその周辺の芝生上に在るボールをグリーンに打つ（パット）するために、通常、ラウンドな形状とされている。即ち、パターをフェース面側から正面視した場合、所謂スイートエリアと言われるフェース面の中央域下方のソール面が最も低い底部とされて、ヒール側トウ側のソール面が若干高くされている。また、同じパターをクラブヘッドの幅方向から側面視した場合では、一般にヘッド幅の中央からフェース面側の前方にソール面の最も低い底部が設けられて、フェース側及びバックサイド側でソール面が若干高く設定されている。クラブスイングによるソール面の軌道にシャフトの傾き即ちライ角に基づく傾斜等を合せ考えるとソール面をラウンド（外側に凸状の面）にする利点が理解できる。
【０００３】
【発明が解決しようとする課題】
しかるに、ヘッド幅の広い（２６ｍｍ以上）従来のパターでは、前記の如くラウンドとされたソール面の頂上部（即ち、前記ソール面の最も低い底部）の位置と、ホーゼル、又はシャフトの先端（Ｔｉｐ端) がヘッド本体に直接挿着される物にあってはこのＴｉｐ端の位置との関係を検討して、これらの配置が適切に設定されたものが無く、主にフェース面に対するホーゼル又はＴｉｐ端のヘッド幅方向、即ち前後の位置が問題とされるに止まっていた。
【０００４】
このため、特に、グリーン上でボールをパットする直前でアドレスしてソール面の最も低い底部を地面に接地させて構えた場合に、フェース面をターゲットライン（目標方向の線）に垂直となるように合わせ難いという問題があった。
【０００５】
従って、本願の目的とするところは、パッティングのアドレスの際に、フェース面をターゲットラインに垂直に合わせ易いゴルフクラブパターを提供することである。
【０００６】
【課題を解決するための手段】
上述の目的を達成するため、この発明は、ヘッド本体のソール面にその少なくとも一部分が外側に膨らむ凸状部が形成されているゴルフクラブパターであって、ヘッドを底面視した場合に、前記凸状部の頂上部分がフェース側に設けられ、この凸状部の頂上部とシャフト先端位置とヘッドの重心とが一直線上に並べられ、さらにこの一直線が長手方向のフェース面と平行にされ、前記頂上部の投影域にヘッドの重心が位置するようにしたものである。
【０００７】
【発明の実施の形態】
以下に図１乃至図３を参照して、本発明に係るゴルフパターの一実施例を説明する。
【０００８】
図１は、本発明に係るゴルフクラブパターをヘッド１のソール面２側から見るところの底面図であり、図２は、パタークラブヘッド１の側断面図（Ａ−Ａ）である。また、図３は、ヘッド１のフェース面３側から見た正面図である。
【０００９】
パタークラブヘッド１は、アルミ合金のブロックをＮＣ加工し、長さ１０５ｍｍ、高さ２８ｍｍ、幅４３ｍｍとされ、そのクラウン４の幅を１５ｍｍ、バックサイド５の高さを１５ｍｍとされた全体がアルミニウム合金製のセミマレット型のパターとされている。図１で、ソール面２には、ヘッド１の本体から外側（下方）に突き出された凸状部が形成されており、該凸状部で最も外側に突き出されている頂上部２Ａ、即ち最も低い底部は、ヘッド幅の中央からフェース面３寄り前方で、しかもヘッド長さ方向の中央部分に形成されている。フェース面３とソール面２との境界線はリーディングエッジ６を形成し、クラウン４には孔７が形成され、この孔７にシャフト８が挿入固定される。また、図１において、符号９，１０はヘッド１のトウとヒールを示す。
【００１０】
前記頂上部２Ａは、パタークラブのヘッド１の長さ方向のトウ９側からヒール１０側に長さ４０ｍｍ、ヘッド幅方向に幅８ｍｍの略矩形状の頂面となっており、この頂面をヘッド幅方向に二分してトウ９側からヒール１０側に中立線１１を仮設する時は、この中立線１１がフェース面３のリーディングエッジ６と平行になるように形成されている。また、前記中立線１１は、フェース面３のリーディングエッジ６から９ｍｍの距離にあり、しかも、この中立線１１上のヒール１０側にシャフト８の先端（Ｔｉｐ部）の延長が位置するように、図２のパターヘッド１の側面図で、シャフト８の先端部がヘッド１の本体のクラウン４に設けられた９．５ｍｍφの孔７に挿着されている。また、シャフト８は、クラウン４から上方に延在され途中で適宜に屈曲されてライ角７２度とされている（図示省略）。なお、フェース面３には、３度のロフトがつけられている。
【００１１】
図３で、ヘッド１の本体のトウ９側端及びヒール１０側端は、前記ソール面２の最も低い底部より、夫々１３ｍｍ高くされている。また、ヘッド１本体の重心位置は、フェース面３のリーディングエッジ６から９ｍｍの位置で前記中立線１１の中央に設定されている（図１参照）。この結果、ソール面２の凸状部の頂上部２Ａとシャフト８の先端位置とヘッド１の重心とが一直線に並び、しかもその直線がフェース面３に平行に設定されることとなる。
また、パターの打球の方向性を安定させるために、図１乃至図３において、一点鎖線の仮想線で示されるように、トウ９側及びヒール１０側には、夫々比重の重いタングステンの円柱状ウエイト１２が埋設された場合には、重心位置は、ヘッド長さの二分線上でリーディングエッジ６から１７ｍｍの位置となり、従って、前記中立線１１の位置は、その中央に重心が配置されるようにして、フェース面３のリーディングエッジ６から１７ｍｍの位置に形成される。この際、重心をフェース面３側に偏位させるために前記ウエイト１２をフェース面３側に３個以上配置することも可能である。
【００１２】
なお、本実施例では、重心位置が前記中立線１１の中央位置に固定されているが、本発明の主旨からして、重心位置は必ずしも前記中立線１１の中央に設定する必要はなく、前記中立線１１上またはその延長線上にあれば良い。なおまた、ソール面２に頂上部２Ａが設定されていないパタークラブの場合には、前記図１の底面図において、シャフト８の先端部軸線の延長線がソール面２と交差する点とヘッド重心のソール面２上への投影点とをフェース面３に平行となる線分上に配置するだけでよい。即ち、このようにすることで、非接地のアドレス時及びパターストローク時にフェース面３をターゲット方向に垂直に極めて合わせ易くなる。なお、重心をフェース面３側に偏位させるため、ヘッド各部を比重の異なる異種の材料で構成したり、ウエイトの個数と配置を調節することが好ましい。
【００１３】
【発明の効果】
以上説明したように、本発明は、ヘッド本体のソール面にその少なくとも一部分が外側に膨らむ凸状部が形成されているゴルフクラブパターであって、ヘッドを底面視した場合に、前記凸状部の頂上部分がフェース側に設けられ、この凸状部の頂上部とシャフト先端位置とヘッドの重心とが一直線上に並べられ、この一直線が長手方向のフェース面と平行にされ、さらに前記頂上部の投影域にヘッドの重心が位置するようにしたので、パッティングのアドレスで、ソール面の最も低い底部を接地させてフェース面をターゲットラインに垂直になるように合わせ易く、またシャフト軸廻りにクラブヘッドを回転し易くなるために、さらに一層合わせ易くなる。
【００１４】
また、重心が頂上部とシャフト先端位置を通る直線上に配置され、かつ、シャフト軸と重心とがフェース面に平行な同一線上に配列されるために、シャフト軸からフェース側（前）のヘッド重量とバックサイド側（後）のヘッド重量とがほぼ同一となって、シャフト前後のバランスがとれて、非接地の場合のアドレス時を含めてパターストローク時にフェース面をターゲット方向に垂直になるよう極めて合わせ易くなる。
【図面の簡単な説明】
【図１】本発明の好適な実施例を示す底面図。
【図２】図１のＡ−Ａ線断面図。
【図３】正面図。
【符号の説明】
１  ヘッド
２  ソール面
２Ａ  頂上部
３  フェース面
８  シャフト
９  トウ
１０  ヒール
１１  中立線
【図１】
0004079502.tif 000002
【図２】
0004079502.tif 000003
【図３】
0004079502.tif 000004